(57)【要約】【課題】採用色の決定における労力と期間を削減し、色に関する調整処理を削減することを目的とする。【解決手段】塗料製造データ管理システム３０を相手に、カラーコンセプトの送信、カラープレゼンテーションの受信、カラーイメージの送信を行うカラー塗装システム１０及び／又は塗装物販売システム５０と、見積りを行う価格情報提供処理部と、物性（塗膜性能）確認を行う塗膜性能確認処理部と、作業性確認を行う作業性確認処理部と、塗装条件に対する配合の補正を行うためのデータを格納している塗装条件補正データファイル、見積り処理で使用するデータを格納している見積り用データファイル、物性確認処理で使用するデータを格納している物性確認用データファイル、作業性確認処理で使用する作業性確認用データファイル、各色に対応して、配合データと特性データとを記憶している色データファイルを備えた塗料製造データ管理システム【選択図】図１４
2006099796.tif 000002
【特許請求の範囲】
【請求項１】
塗料製造データ管理システムを相手に、カラーコンセプトの送信、カラープレゼンテーションの受信、カラーイメージの送信を行うカラー塗装システム及び／又は塗装物販売システムと、見積りを行う価格情報提供処理部と、物性（塗膜性能）確認を行う塗膜性能確認処理部と、作業性確認を行う作業性確認処理部と、塗装条件に対する配合の補正を行うためのデータを格納している塗装条件補正データファイル、見積り処理で使用するデータを格納している見積り用データファイル、物性確認処理で使用するデータを格納している物性確認用データファイル、作業性確認処理で使用する作業性確認用データファイル、各色に対応して、配合データと特性データとを記憶している色データファイルを備えた塗料製造データ管理システムとが、通信ネットワークに接続され、通信ネットワークを利用した塗料製造方法において、
（Ａ）前記カラー塗装システム及び／又は塗装物販売システムは、
前記塗料製造データ管理システムのウエブページ作成部の指示に基づいて作成したＣＡＤデータ及び予定製造ラインの入力を行うためのカラーコンセプト提案画面を、前記塗料製造データ管理システムの通信制御装置によりカラー塗装システムに送信し、受信したカラーコンセプト提案画面をその表示装置が表示し、
当該カラー塗装システムの送信部がキーワード、コラージュを含むカラーイメージとＣＡＤデータとが入力されたカラーコンセプト提案画面を、塗料製造データ管理システムへ送信することにより、カラーコンセプトを通知する工程、
（Ｂ）塗料製造データ管理システムは、
当該塗料製造データ管理システムの通信制御装置により、前記カラー塗装システムからのカラーコンセプト提案画面を受信してカラーコンセプトの通知を受け、
当該塗料製造データ管理システムの表示装置により、三次元画面、塗料製造者コンセプト、配合情報、物性情報、塗装機等に対する補正データを含む作業性情報、価格情報及び納期情報の入力を行うためのカラープレゼンテーション画面を表示し、
当該塗料製造データ管理システムの通信制御装置により、三次元画像表示用色データと、数値化された色に関する情報とより、データ管理システムの制御部が、前記色データファイルを参照して処理して得た色の顔料、樹脂の成分名と割合が示される配合情報と、前記物性確認処理部が前記色データファイルと前記物性確認用データファイルとを参照して処理して得た色の配合における耐候性、耐光性、耐薬品性とその是非が示されている物性情報と、前記作業性確認処理部が作業性確認用データファイルを参照して処理した提案する色を製造する際の適用ラインの可能性が示されている作業性情報と、前記価格情報提供処理部が前記色データファイルと前記見積り用データファイルを参照して処理して得た価格情報と、納期情報とが入力されたカラープレゼンテーション画面をカラー塗装システム及び／又は塗装物販売システムへ通信ネットワークを介して送信し、
カラー塗装システム及び／又は塗装物販売システムは、その表示装置により、受信したカラープレゼンテーション画面を表示してカラープレゼンテーションを行う工程、
を有することを特徴とする塗料製造方法。
【請求項２】
更に、
（Ｃ）前記カラー塗装システム及び／又は塗装物販売システムは、当該カラー塗装システム及び／又は塗装物販売システムの送信部が、受信して表示した三次元画像表示用色データを含むカラープレゼンテーション画面に提示されたカラーを補正するための色相、色調及び光輝度に関するコメントであるカラーイメージ情報を、前記塗料製造データ管理システムに送信する工程、
（Ｄ）（ａ）前記塗料製造データ管理システムは、
受信した前記カラーイメージ情報に基づき、当該塗料製造データ管理システムの表示装置により、３次元画面及びカラー塗装システム及び／又は塗装物販売システムからの色相、色調及び光輝度に関するコメント欄を有するカラーチューニングの画面を表示し、
当該塗料製造データ管理システムの通信制御装置により、
３次元画面及びカラー塗装システム及び／又は塗装物販売システムからの色相、色調及び光輝度に関するコメントが入力されたカラーチューニングの画面をカラー塗装システム及び／又は塗装物販売システムに送信することにより、
受信したカラーイメージ情報に基づいて、色調、色相、光強度等を調整して、カラーチューニングを行う工程、
(ｂ)前記塗料製造データ管理システムと前記カラー塗装システム及び／又は塗装物販売システムとの間で通信を利用して、工程（Ｃ）のカラーイメージ情報の送信と工程（Ｄ）（ａ）のカラーチューニングとを繰り返す工程、及び
（Ｅ）工程（Ｄ）により決定されたカラー塗装システムに表示された三次元画像を構成する三次元画像表示用色データであるデザインマスターが、前記塗料製造データ管理システムの表示装置により、前記カラープレゼンテーション画面と同じ画面で表示され、該デザインマスターのカラーを発現させるための採用色が自動的に決定され、次いで、記塗料製造データ管理システムの調色部が、各色に対応して配合データと特性データとを記憶している色データファイルを参照して、当該採用色に係る塗料配合データを得る工程、
を有することを特徴とする請求項１記載の塗料製造方法。
【請求項３】
三次元画像表示用色データは、変角分光反射率に基づく三次元画像表示用色データであることを特徴とする請求項１又は２に記載の塗料製造方法。
【請求項４】
前記（Ｂ）、（Ｃ）及び（Ｄ）工程においてカラー塗装システムの表示用モニターは、塗料製造データ管理システムに設置されている標準モニターと同機種、同形式、かつ標準モニターと同じ調整が施されていることを特徴とする請求項２記載の塗料製造方法。
【請求項５】
更に、
（Ｇ）前記塗料製造データ管理システムの通信制御装置により、前記（Ｅ）工程で採用された採用色の塗料の塗膜性能であって、前記塗膜性能確認処理部が物性確認用データファイルを参照して処理して得た塗膜性能を、前記カラー塗装システムに対して通知する工程
（Ｈ）前記塗料製造データ管理システムの通信制御装置により、前記（Ｅ）工程で採用された採用色の塗料の価格情報を前記カラー塗装システムに対して通知する工程
の内、少なくとも一つの工程を有することを特徴とする請求項２記載の塗料製造方法。
【請求項６】
販売店塗装物のエンドユーザが、通信ネットワークを介して塗料製造データ管理システム、カラー塗装システム又は塗装物販売システムのいずれかにアクセスし、購入する塗装物の前記カラーコンセプト又は色見本及び前記カラーイメージ情報を通知することを特徴とする請求項１記載の塗料製造方法。
【請求項７】
塗料が色づけされた基材上に塗られる場合、
前記塗料製造データ管理システムの通信制御部又はカラー塗装システムの送信部は、前記(Ｄ)工程において、前記基材を提供する基材製造システムへ、基材色の色情報を通知し、
その後、基材製造システムとカラー塗装システムとの間で、採用基材と基材色とを決定することを特徴とする請求項２記載の塗料製造方法。
【請求項８】
前記塗料製造データ管理システムが作成した配合データに基づいて前記塗料製造データ管理システムが塗料を製造するか、又は、前記塗料製造データ管理システムの通信制御部が前記カラー塗装システムに前記配合データを通知し、前記カラー塗装システムが通知された配合データに基づいて塗料を製造することを特徴とする請求項１記載の塗料製造方法。
【請求項９】
前記カラー塗装システムに通知された配合データに基づいて、前記カラー塗装システムに関連する会社の塗装請負システムが塗料を製造することを特徴とする請求項８記載の塗料製造方法。
【請求項１０】
請求項２記載の（Ｄ）工程により作成された塗料配合データが塗料製造データ管理システムの通信制御部から通知され、この通知された配合データに基づいて、カラー塗装システム又は前記カラー塗装システムに関連する会社の塗装請負システムが塗料を調色後、又は塗料を調色しながら塗装することを特徴とする塗装方法。
【請求項１１】
前記塗装に使用される少なくとも塗装条件に関するデータを前記カラー塗装システム又は前記カラー塗装システムに関連する会社の塗装請負システムの送信部が、前記塗料製造データ管理システムに通知し、当該データ管理システムは、このデータによって塗装条件の管理を行うことを特徴とする請求項１０記載の塗装方法。
【請求項１２】
カラー塗装システム及び／又は塗装物販売システムと通信ネットワークを介して接続される塗料製造データ管理システムであって、
見積りを行う価格情報提供処理部と、物性（塗膜性能）確認を行う塗膜性能確認処理部と、作業性確認を行う作業性確認処理部と、塗装条件に対する配合の補正を行うためのデータを格納している塗装条件補正データファイル、見積り処理で使用するデータを格納している見積り用データファイル、物性確認処理で使用するデータを格納している物性確認用データファイル、作業性確認処理で使用する作業性確認用データファイル、各色に対応して、配合データと特性データとを記憶している色データファイルを備えた塗料製造データ管理システムにおいて、
塗料製造データ管理システム全体の制御を行う制御部と、
複数の前記カラー塗装システム及び／又は塗装物販売システムと通信を行う通信制御部と、
前記カラー塗装システム及び／又は塗装物販売システムの送信部から送信される情報に基づいて、色を調色する調色部と、
調色された被塗物のカラー３次元画像を生成する画像処理部とを有し、
前記調色部は、有彩色顔料（黒・グレーを含む）、光輝性色材（メタルフレーク、パールマイカ等）及び無彩色顔料（白）に対して、調色の計算を行い、その調色の計算は、拡散照明系スペクトルパターンに対するカラーマッチングを行う顔料配合計算と、変角測定スペクトルパターンに対するカラーマッチング計算を行う光輝性色材配合計算とを行い、
前記画像処理部は、塗装物のカラー３次元画像を生成し、
前記カラー塗装システム及び／又は塗装物販売システムの送信部から、カラーコンセプトの通知を受けたとき、三次元画面、塗料製造者コンセプト、配合情報、物性情報、塗装機等に対する補正データを含む作業性情報、価格情報及び納期情報の入力を行うためのカラープレゼンテーション画面を当該塗料製造データ管理システムの表示装置により表示し、三次元画像表示用色データと、数値化された色に関する情報とより、データ管理システムの制御部が前記色データファイルを参照して処理して得た色の顔料、樹脂の成分名と割合が示される配合情報と、前記物性確認処理部が色データファイルと物性確認用データファイルとを参照して処理して得た色の配合における耐候性、耐光性、耐薬品性とその是非が示されている物性情報と、前記作業性確認処理部が作業性確認用データファイルを参照して処理した提案する色を製造する際の適用ラインの可能性が示されている作業性情報と、前記価格情報提供処理部が前記色データファイルと前記見積り用データファイルを参照して見積り処理して得た価格情報と、納期情報とが入力されたカラープレゼンテーション画面を当該塗料製造データ管理システムの通信制御装置が前記カラー塗装システム及び／又は塗装物販売システムへ通信ネットワークを介して送信し、前記カラー塗装システム及び／又は塗装物販売システムは、その表示装置により、受信したカラープレゼンテーション画面を表示することを特徴とする塗料製造データ管理システム。
【請求項１３】
更に、
決定された色に関するカラーの決定番号、色、配合データ、決定者、その他関係データを格納する決定カラーデータファイルを有することを特徴とする請求項１２記載の塗料製造データ管理システム。
【請求項１４】
塗料製造データ管理システムを相手に、カラーコンセプトの送信、カラープレゼンテーションの受信、カラーイメージの送信を行うカラー塗装システム及び／又は塗装物販売システムと、見積りを行う価格情報提供処理部と、物性（塗膜性能）確認を行う塗膜性能確認処理部と、作業性確認を行う作業性確認処理部と、塗装条件に対する配合の補正を行うためのデータを格納している塗装条件補正データファイル、見積り処理で使用するデータを格納している見積り用データファイル、物性確認処理で使用するデータを格納している物性確認用データファイル、作業性確認処理で使用する作業性確認用データファイル、各色に対応して、配合データと特性データとを記憶している色データファイルを備えた塗料製造データ管理システムとが、通信ネットワークに接続され、通信ネットワークを利用した塗料製造方法において、
（Ｂ）カラーコンセプトの通知を受けた前記塗料製造データ管理システムが、
当該塗料製造データ管理システムの表示装置により、三次元画面、塗料製造者コンセプト、配合情報、物性情報、塗装機等に対する補正データを含む作業性情報、価格情報及び納期情報の入力を行うためのカラープレゼンテーション画面を表示し、
当該塗料製造データ管理システムの通信制御装置により、三次元画像表示用色データと、数値化された色に関する情報とより、データ管理システムの制御部が、前記色データファイルを参照して得た色の顔料、樹脂の成分名と割合が示される配合情報と、前記塗膜性能確認処理部が色データファイルと物性確認用データファイルとを参照して処理して得た色の配合における耐候性、耐光性、耐薬品性とその是非が示されている物性情報と、前記作業性確認処理部が作業性確認用データファイルを参照して処理した提案する色を製造する際の適用ラインの可能性が示されている作業性情報と、前記価格情報提供処理部が色データファイルと見積り用データファイルを参照して見積り処理して得た価格情報と、納期情報とが入力されたカラープレゼンテーション画面を前記カラー塗装システム及び／又は塗装物販売システムへ通信ネットワークを介して送信し、
前記カラー塗装システム及び／又は塗装物販売システムは、その表示装置により、受信したカラープレゼンテーション画面を表示してカラープレゼンテーションを行う工程、
（Ｃ）前記カラー塗装システム及び／又は塗装物販売システムは、当該塗料製当該カラー塗装システムの送信部が、受信して表示した三次元画像表示用色データを含むカラープレゼンテーション画面に提示されたカラーを補正するための色相、色調及び光輝度に関するコメントであるカラーイメージ情報を、前記塗料製造データ管理システムに送信する工程、
を有することを特徴とする塗料製造方法。
【発明の詳細な説明】
【技術分野】
【０００１】
本発明は、塗料製造方法、塗装方法及び塗料製造データ管理システムに係り、特に、採用色の決定における労力と期間を削減し、色に関する調整処理を削減した塗料製造方法、塗装方法及び塗料製造データ管理システムに関する。
【背景技術】
【０００２】
図１に、従来の、例えば、携帯電話機の塗装に係る塗料製造者とカラー塗装者間のやり取りを示す。
【０００３】
図１の中央に示されている「Ａ．カラーコンセプト」等が塗料製造者とカラー塗装者における一連の処理工程である。次の１２工程（Ａ）〜（Ｌ）を経て、携帯電話機の塗装が行われる。
（Ａ）カラーコンセプト・色見本
カラー塗装者のデザイナーが、適用商品の色について、そのイメージをキーワード、コラージュ、ミュージック、又は色見本等で示し、塗料製造者に提示する。
（Ｂ）カラープレゼンテーション
カラー塗装者からのカラーコンセプト又は色見本を受け、塗料製造者は、カラー創色手段によりカラーコンセプト又は色見本に対応したカラーを創色し、その色の塗板を作成する。この塗板が、塗り見本となり、この塗板をカラー塗装者に提示してカラープレゼンテーションが行われる。なお、カラープレゼンテーション用の塗り見本は塗料製造者のカラーデザインセンター（研究部門）で作成される。塗り見本は、カラーコンセプトに対しては複数、色見本に対しては、一つ作成されるのが一般的である。
【０００４】
なお、上記説明におけるカラー創色手段とは、カラーコンセプト又は色見本（以下、「カラーコンセプト等」と言うことがある。）に基づいて創色を行う方法であり、カラー創色は、カラー創色担当者が過去の経験に基づいて原色を適宜配合して行われる。
（Ｃ）カラーチューニング
カラー塗装者は、一つ又は複数のカラープレゼンテーションの塗り見本を選定し、その塗り見本に対して、デザイナーが色修正を行う。色修正は、塗り見本を用いて、主に、色調、色相、光強度に関して、表現される。
カラー塗装者からの色修正を受け、塗料製造者は、色修正した一つ又は複数の塗り見本をカラー塗装者に提示する。
（Ｄ）デザインマスターの決定
カラープレゼンテーション、カラーチューニングにおける塗料製造者とカラー塗装者との間での多くのやり取りの結果、デザインマスターが決定される。
【０００５】
デザインマスターは、塗料製造者とカラー塗装者との間で、デザイン上で合意された塗色である。カラーデザインセンターで作成された塗料を用いて現物に塗装して、相互に確認することにより、デザインマスターが決定される。また、必要に応じて、デザインマスターの周辺色の塗り見本が作成される。
（Ｅ）デザインマスターの複製
この工程は、カラーコンテストの場合に対して行う工程である。競合他社とのカラーコンテストが実施され、他社のカラーがデザインマスターとして決定された場合、他社のデザインマスター板に色合わせしたデザインマスター（他社のデザインマスター板の複製）を作成するものである。複製されたデザインマスターは、上記（Ａ）〜（Ｄ）により作成されたデザインマスターと、以降、同等に扱われる。
（Ｆ）物性（塗膜性能）確認
デザインマスター板又は複製板により、素材に塗装された塗膜の物理的、化学的性能を確認する。例えば、耐候性（太陽光に対する劣化度）、耐食性（錆、水に対する劣化度）、硬度、電気抵抗、光沢等を確認する。
（Ｇ）作業性（塗装作業性）確認
塗料が塗装作業に支障がないものであるかを確かめ、併せて、適用ラインの確認等を行う。
（Ｈ）見積り
作業性が確認された塗料の価格を見積もる。例えば、塗料単価、ｍ２単価、個当たりの単価で見積もる。
（Ｉ）採用色決定
見積り、作業性等を考慮して、採用色を決定する。
（Ｊ）工場生産
採用された塗料を工場で生産する。
（Ｋ）ライントライアル
上記（Ｊ）で生産された塗料を用いて、ラインで塗装を行い、所定の色がでるまで、調色を行う。
（Ｌ）量産  
ライントライアルで合格した塗料を用いて、ラインで塗装を行う。
【０００６】
上記１２工程において、塗料製造者における設計・工場、創色グループ、カラーデザインセンター及び営業と、カラー塗装者における購買、設計・デザイン、製造、営業とが関与している。
【０００７】
カラーコンセプト等の工程では、カラー塗装者の営業、設計デザイン、購買が関係して、塗料製造者にカラーコンセプト等が提案される（工数１〜３、なお、工数は、図面上の丸付き数字で表現されている。以下、同じ。）。塗料製造者の、営業とカラーデザインセンターが関係して、その提案を受ける（工数４、５）。
【０００８】
また、カラープレゼンテーションの工程では、塗料製造者の創色グループ、カラーデザインセンター及び営業が関与して、カラープレゼンテーション用の塗り見本を作成し、カラー塗装者に提出される（工数６〜８）。カラー塗装者の営業、設計デザイン、購買が関係して、カラープレゼンテーションを受ける（工数９〜１１）。
【０００９】
このようにして、１２工程、５２工数により、決定された採用色の塗料が製造され、その塗料を用いてカラー塗装が行われる。
【００１０】
また、カラー塗装者と塗料製造者間以外に、
・塗装物販売者が、カラーの決定に関与する場合、
・エンドユーザが、カラーの決定に関与する場合
・基材製造者が関係する場合
は、更に、工程数と工数が多くなる。例えば、塗装物販売者が、カラーの決定に関与する場合では、例えば、図２に示すように、２０工程、８５工数となり、カラー塗装者と塗装物販売者との間の(Ｉ)採用色の事前承認、(Ｊ)カラーチェック及び(Ｐ)見積りの３つの工程と、カラー塗装者と塗装物販売者との間の（Ｈ）見積りの後の工程に、（Ｋ）カラーチューニング、（Ｌ）デザインマスターの決定、（Ｍ）物性確認、（Ｎ）作業性（塗装作業性）確認、（Ｏ）見積り及び（Ｑ）採用色決定の６つの工程が追加される。図２の場合は、図１の場合と比較して、８工程、３３工数増加している。
【００１１】
なお、図１及び図２において、ＴＰは、塗り見本を示す。塗り見本は、カラープレゼンテーション、カラーチューニング、デザインマスターの決定等の多くの工程で、必要数の塗り見本が作成されて、塗料製造者からカラー塗装者に提出される。また、現物（塗装した携帯電話機）も作業性確認、採用色決定、ライントライアルの工程で、必要に応じて作成する。
【発明の開示】
【発明が解決しようとする課題】
【００１２】
しかしながら、従来の採用色の決定及び塗色には、次のような問題を包含している。
（１）カラーコンセプト等、カラープレゼンテーション、カラーチューニング、デザインマスターの決定等の多くの工程を、塗料製造者、カラー塗装者、塗装物販売者等とが、お互いに行き来し、塗板又は現物を見ながら、色の決定を行っている。その結果、塗板又は現物の作成、検討のための面談等に、多くの手間と時間を要していた。
（２）研究部門（カラーデザインセンター）で作成された塗料により、色が決定される。しかし、研究部門と工場間での製造条件の相違に基づいて、同じように製造した塗料でも、色違いが発生する。そこで、ライントライアルにおいて、合意した色になるよう、多くの試行的塗装が行われている。
（３）カラープレゼンテーション、カラーチューニング等による色の決定は、塗板により行われていれる。しかしながら、例えば、光輝性の色の場合、見る角度により、色が異なり、塗板でのイメージと実際の、例えば、携帯電話機に塗装した色とは異なる場合がある。
（４）同じ塗料を用いても、カラー塗装者の工場におけるライン、塗装機等により、色の発現が異なる。そのために、カラー塗装者の工場におけるライン、塗装機等に合うように、配合の調整を、試行錯誤的に行う必要がある。
（５）同じ塗料を用い、同じ塗装機により塗装しても、色の経時変化が起こる場合があり、その場合にも、配合の調整を行う必要がある。
本発明は、上記問題に鑑みなされたものであり、採用色の決定における労力と期間を削減し、色に関する調整処理を削減した塗料製造方法、塗装方法及び塗料製造データ管理システムを提供することを目的とする。
【課題を解決するための手段】
【００１３】
上記目的を達成するために、本発明の塗料製造方法は、下記（Ａ）〜（Ｅ）の各工程において、通信ネットワークを利用して、実施されることを特徴とする塗料製造方法。
（Ａ）カラー塗装システムは、三次元画像表示用色データであるＣＡＤデータ及び予定製造ラインの入力を行うためのカラーコンセプト提案画面を表示し、キーワード、コラージュを含むカラ−イメージとＣＡＤデータとが入力されたカラーコンセプト提案画面を、塗料製造データ管理システムへ送信することにより、カラーコンセプトを通知する工程、
（Ｂ）カラーコンセプトの通知を受けた塗料製造データ管理システムが、三次元画面、塗料製造者コンセプト、配合情報、カラー塗装ライン及び塗装機等に対する補正データを含む作業性情報の入力を行うためのカラープレゼンテーション画面を表示し、三次元画像表示用色データと、配合情報と、物性情報と、塗料作業性情報と、価格情報と、納期情報とが入力されたカラープレゼンテーション画面をカラー塗装システム及び／又は塗装物販売システムへ通信ネットワークを介して送信し、カラー塗装システム及び／又は塗装物販売システムでそれを表示してカラープレゼンテーションを行う工程、
（Ｃ）前記カラー塗装システム及び／又は塗装物販売システムが、受信して表示した三次元画像表示用色データを含むカラープレゼンテーション画面に提示されたカラーを補正するためのカラーイメージ情報を、前記塗料製造データ管理システムに送信する工程、
（Ｄ）（ａ）前記塗料製造データ管理システムは、受信した前記カラーイメージ情報に基づき、３次元画面及びカラー塗装者からの色相、色調及び光輝度に関するコメント欄を有するカラーチューニングの画面を表示し、３次元画面及びカラー塗装者からの色相、色調及び光輝度に関するコメントが入力されたカラーチューニングの画面をカラー塗装システム及び／又は塗装物販売システムに送信し、
（ｂ）前記カラー塗装システム及び／又は塗装物販売システムは、カラーを補正するためのカラーイメージ情報を、前記塗料製造データ管理システムに送信し、
(ｃ)前記塗料製造データ管理システムと前記カラー塗装システム及び／又は塗装物販売システムとの間で通信を利用して、カラーイメージ情報の送信と入力されたカラーチューニングの画面の送信とを繰り返す工程、及び
（Ｅ）工程（Ｄ）により決定されたカラー塗装システムに表示された三次元画像を構成する三次元画像表示用色データであるデザインマスターが、デザインマスター表示画面で表示され、該デザインマスターのカラーを発現させるための採用色及び採用塗料が決定され、次いで、各色に対応して配合データと特性データとを記憶している色データファイルを参照して塗料配合データを作成する工程。
これにより、塗料製造データ管理システムとカラー塗装システム及び／又は塗装物販売システムとが、通信ネットワークを用いて、カラー塗料の色を決定することができ、決定された色のデータを用いて、塗料を製造することができ、採用色の決定における労力と期間を削減し、色に関する調整処理を削減することができる。
また、塗装作業性確認、塗膜性能（物性）確認及び価格情報の提供をカラープレゼンテーションと共に行うことができ、独立に、塗装作業性確認工程、塗膜性能確認工程及び価格情報提供工程を設ける必要が無くなる。その結果、色決定における期間と手間を削減することができる。
なお、本発明における塗料製造データ管理システムは、カラー塗料を製造する業者が保有し、通信ネットワークに接続されたシステムである。この塗料製造データ管理システムは、カラー塗装システムからのカラーコンセプト等、カラーイメージを受信し、カラー創色、カラープレゼンテーション、カラーチューニング、塗料配合データの作成等を行う。また、塗料製造データ管理システムは、当面、塗料製造業者が保有するものであるが、将来的には、必ずしも、塗料製造業者が所有しなくてもよい。
カラー塗装システムとは、カラー塗装を行う被塗物の設計、企画、販売者又は被塗物の塗装を実際に行う者（カラー塗装者）が扱うシステム（通信ネットワークに接続された、コンピュータ及び端末を含む）を言う。また、本発明での、塗装物販売システムとは、塗装物の販売者が保有するシステムで通信ネットワークに接続された端末を含む。
また、競合他社とのカラーコンテストが実施され、他社のカラーがデザインマスターとして決定された場合、
前記（Ｄ）工程におけるデザインマスター表示画面として、前記他社のデザインマスターから前記塗料製造データ管理システムが作成した、３次元画面及びカラーデータとを有するデザインマスターの複製画面を用いるようにすることができる。
【００１４】
これにより、カラーコンテストにおいて、他社のカラーがデザインマスターとして決定された場合にも、対応することができる。
また、三次元画像表示用色データは、変角分光反射率に基づく三次元画像表示用色データであるようにすることができる。
これにより、カラープレゼンテーション及びカラーチューニングを、モニターの三次元画像表示によって行うことができる。また、モニター上に塗装物の３次元画像が、見る角度によって、色の変化する様子を表示できるものを用いた場合、より正確に塗装物の塗装状態を把握できるので、的確な色の決定が可能となる。
また、どのようなモニターを用いるかという観点から、前記（Ｂ）、（Ｃ）及び（Ｄ）工程においてカラー塗装システム及び／又は塗装物販売システムで使用する表示用モニターは、塗料製造データ管理システムに設置されている標準モニターと同機種、同形式、かつ標準モニターと同じ調整が施されているようにすることができる。
これにより、塗料製造データ管理システム、カラー塗装システム、塗装物販売システム間で、同じ三次元画像表示を行うことができる。
また、（Ｇ）前記塗料製造データ管理システムより、前記（Ｅ）工程で採用された採用色の塗料の塗膜性能を前記カラー塗装システムに対して通知する工程（Ｈ）前記塗料製造データ管理システムより、前記（Ｅ）工程で採用された採用色の塗料の価格情報を前記カラー塗装システムに対して通知する工程の内、少なくとも一つの工程を有するようにすることができる。
【００１５】
また、塗装物のエンドユーザが直接、色を指定するという観点から、塗装物のエンドユーザが、通信ネットワークを介して塗料製造データ管理システム、カラー塗装システム又は塗装物販売システムのいずれかにアクセスし、購入する塗装物の前記カラーコンセプト、前記カラーイメージ情報を通知するようにすることができる。
【００１６】
これにより、例えば、塗装物のエンドユーザが、購入時に購入する商品のカラーを指定することができ、自分の個性に合わせたカラーの商品を購入することが可能となる。
また、塗料が色づけされた基材上に塗られる場合という観点から、塗料が色づけされた基材上に塗られる場合、前記塗料製造データ管理システム又はカラー塗装システムは、前記(Ｄ)工程において、前記基材を提供する基材製造システムへ、基材色の色情報を通知し、その後、基材製造システムとカラー塗装システムとの間で、採用基材と基材色とを決定することができる。
これにより、塗料が色づけされた基材上に塗られる場合にも対応することができる。
【００１７】
また、誰が塗料を製造するかという観点から、前記塗料製造データ管理システムが作成した配合データに基づいて前記塗料製造データ管理システムが塗料を製造するか、又は、前記塗料製造データ管理システムが前記カラー塗装システムに前記配合データを通知し、前記カラー塗装システムが通知された配合データに基づいて塗料を製造するようにすることができる。
【００１８】
これにより、カラー塗装システムは、塗料が製造できるため、必要になった時点で、必要な量だけ、塗料を製造し塗装することが可能となるので、塗料のストックが減り、経時変化の問題も減少する。
【００１９】
また、塗装請負者が塗料を製造するという観点から、前記カラー塗装システムに通知された配合データに基づいて、前記カラー塗装システムに関連する会社の塗装請負システムが塗料を製造するようにすることができる。
【００２０】
これにより、カラー塗装システムに関連する会社の塗装請負システムが塗料を製造することができる。
また、塗装方法という観点から、前記（Ｄ）工程により作成された塗料配合データが塗料製造データ管理システムから通知され、この通知された配合データに基づいて、カラー塗装システム又は前記カラー塗装システムに関連する会社の塗装請負システムが塗料を調色後、又は塗料を調色しながら塗装するようにすることができる。
これにより、カラー塗装システム又は塗装請負システムは、自動調色機を使用して、塗料の調色後、又は塗料を調色しながら、塗装を行うことができる。また、カラー塗装システム又は塗装請負システムは、カラー塗装者の塗装機等の塗装条件を考慮して、補正したデータに基づいて配合された塗料を使用するため、色違い等の問題が生じない塗装を行うことができる。
また、塗料製造データ管理システムによる塗装条件の管理という観点から、塗装に使用される少なくとも塗装条件に関するデータをカラー塗装システム又はカラー塗装システムに関連する会社の塗装請負システムが、塗料製造データ管理システムに通知し、当該データ管理システムは、このデータによって塗装条件の管理を行うようにすることができる。
塗装条件を塗料製造データ管理システムが管理することによる利点は以下の通りである。
【００２１】
（１）クレームの未然防止
客先の都合により一方的に塗装ライン条件が変えられた場合、同じ塗料を使用していれば色違いクレームとなる可能性がある。この場合には、塗料製造データ管理システムから警告を発生する。
【００２２】
（２）ライン塗装条件を把握することで、カラープレゼンテーション作業の効率化を計る。すなわち、直近の情報に基づく色出しが可能となる。
【００２３】
また、塗料製造データ管理システムという観点から、カラー塗装システム及び／又は塗装物販売システムと通信ネットワークを介して接続される塗料製造データ管理システムを、「塗料製造データ管理システム全体の制御を行う制御部と、複数のカラー塗装システム及び／又は塗装物販売システムと通信を行う通信制御部と、カラー塗装システム及び／又は塗装物販売システムから送信される情報に基づいて、色を調色する調色部と、調色された被塗物のカラー３次元画像を生成する画像処理部とを有し、前記調色部は、有彩色顔料（黒・グレーを含む）、光輝性色材（メタルフレーク、パールマイカ等）及び無彩色顔料（白）に対して、調色の計算を行い、その調色の計算は、拡散照明系スペクトルパターンに対するカラーマッチングを行う顔料配合計算と、変角測定スペクトルパターンに対するカラーマッチング計算を行う光輝性色材配合計算とを行い、画像処理部は、塗装物のカラー３次元画像を生成する塗料製造データ管理システム」とし、
更に「カラープレゼンテーション時に見積りを行う価格情報提供処理部、カラープレゼンテーション時に物性（塗膜性能）確認を行う塗膜性能確認処理部及びカラープレゼンテーション時に作業性確認を行う作業性確認処理部を有し、価格情報提供処理部は、前記調色部で使用するデータを格納している色データファイルと、見積り処理で使用するデータを格納している見積り用データファイルと、を参照して見積りを計算し、塗膜性能確認処理部は、前記色データファイルと、物性確認処理で使用するデータを格納している物性確認用データファイルとを参照して、提案する色の配合における耐候性、耐光性、耐薬品性とその是非を示し、
作業性確認処理部は、提案する色を製造する際の適用ラインの可能性、特別手配が必要な場合は、その必要事項を示す塗料製造データ管理システム」とすることができる。
また、塗料製造データ管理システムに含まれる構成としては、更に、カラー塗装ライン及び塗装機等に対する補正データを算出するためのデータであって、塗装条件に対する配合の補正を行うためのデータを格納している塗装条件補正データファイルを有するようにすることができ、更に、決定された色に関するカラーの決定番号、色、配合データ、決定者、その他関係データを格納する決定カラーデータファイルを有することができる。
【発明の効果】
【００２４】
本発明によれば、採用色の決定における労力と期間を削減し、色に関する調整処理を削減した塗料製造方法、塗装方法及び塗料製造データ管理システムを提供できる。
【発明を実施するための最良の形態】
【００２５】
以下、本発明の実施の形態を図面に基づいて説明する。
（実施例１）
図３に実施例１のシステム構成例を示す。実施例１は、塗料製造者とカラー塗装者とが関与するシステムである。
【００２６】
図３のシステムは、カラー塗装システム１０１〜カラー塗装システム１０Ｎ、通信ネットワーク２０及び塗料製造データ管理システム３０から構成されている。
【００２７】
塗料製造者とカラー塗装者とが、カラー塗装システム１０及び塗料製造データ管理システム３０により、被塗物・塗装条件・塗料・色等の塗料製造に必要な情報を、通信ネットワーク２０を介して情報交換し、カラー塗装者から提案されたカラーコンセプト等のイメージに合致したカラー塗料を、塗料製造者が製造するシステムである。
なお、カラー塗装システム１０１〜カラー塗装システム１０Ｎ及び塗料製造データ管理システム３０は、通信ネットワーク２０を使用して、随時、相互に通信を行うことができる。この通信ネットワーク２０は、公衆回線又は専用回線であり、この公衆回線又は専用回線は、有線回線であっても、無線回線であっても、それらが混在した回線であってもよい。
なお、本発明において、通信手段等により通知される塗料製造に必要な情報は、カラー塗装システム、塗料製造データ管理システム等の関係するシステムにおいて、共通に用いることができる。
カラー塗装システム１０は、カラー塗料を携帯電話、ＰＨＳ、家電製品、自動車等の各種被塗物に塗装する業者(カラー塗装者)が保有し、通信ネットワーク２０に接続されたシステムである。カラー塗装者としては、例えば、携帯電話機メーカ等の塗装物製造業者を挙げることができる。なお、塗装物の製造の一部を担う業者、例えば、プラスチック等の成型メーカやプラスチック等の塗装業者は、カラー塗装者を補助する者であり、通常は、カラー塗装システムを保有しない。しかしながら、必要に応じて、カラー塗装者を補助する者であっても、カラー塗装システムを保有してもよい。カラー塗装者は、カラー塗装システム１０を用いて、塗料製造データ管理システム３０を相手に、カラーコンセプトの送信、カラープレゼンテーションの受信、カラーイメージの送信、カラーチューニングを行い、デザインマスターの決定に参画する。
また、塗料製造データ管理システム３０は、カラー塗料を製造する業者が保有し、通信ネットワーク２０に接続されたシステムである。なお、現状では、カラー塗料を製造する業者が保有しているが、将来的には、塗料製造データを管理するデータセンターであってもよい。塗料製造データ管理システム３０は、カラー塗装システム１０からのカラーコンセプト等の受信、カラー創色手段による創色、これらの色のカラー塗装システムへの送信によるカラープレゼンテーション、カラー塗装システムからのカラーイメージの受信及びカラーチューニングを行う。さらに、カラー塗装システム側で決定されたデザインマスター（カラーコンテストの場合は、他社のデザインマスターが採用される場合もある。）の変角分光反射率データに基づく塗料配合の計算及び物性（塗膜性能）、作業性及び価格データに基づく採用色の決定が行われる。また、塗料製造データ管理システム３０は、塗料配合データを作成する。
また、塗料製造データ管理システム３０は、例えば、カラー塗装システム１０における使用に際しての塗装条件に関するデータを受信して、このデータによってカラー塗装システムの塗装条件の管理を行うことができる。
なお、カラー創色手段は、カラーコンセプト等に基づいて創色を行う方法であり、ここでは、コンピュータ調色による創色が行われ、創色されたカラーをパネル又はモニターで表示して確認することができる。
また、カラー塗装システム１０１〜カラー塗装システム１０Ｎと塗料製造データ管理システム３０は、３次元の画像を同じように表示できる表示装置を備え、この表示装置により、カラープレゼンテーション、カラーチューニング等が可能なシステムである。例えば、カラー塗装システム側で使用する表示用モニターは、塗料製造データ管理システムに設置されている標準モニターと同機種、同形式、かつ標準モニターと同じ調整が施されている。
【００２８】
塗料・色に関する情報は、数値化されており、色が決まると塗料も決まり、その配合成分も決まる。従って、塗料製造データ管理システムは、塗料・色に関する情報を用いて、直ちに、塗料の製造を行うことが可能となる。
【００２９】
また、塗料・色に関する情報は、数値化されていることから、実際の塗装条件（コンベアスピード、塗布面積、吐出量、吐出圧、ガン距離、塗り重ね回数、ストローク数、ストローク幅、パターン幅、塗料温度、ブース温度、膜厚等）を、入力し、後述する塗装条件補正データファイルを参照することにより、配合を補正することができる。塗装機として、デジタル塗装機を用いれば、その塗装機にあわせた、塗料の配合が可能である。
【００３０】
また、カラー塗装システムは、塗料製造データ管理システムから、塗料・色に関するデータを取得し、塗料の製造を行うことが可能となる。また、その際、カラー塗装システムは、自動調色機を使用すれば、塗料を調色しながら、塗装を行うこともできる。
また、塗料製造データ管理システムが提供する原色塗料及び塗料組成情報に基づいて特定の自動調色機で調色した塗料を使用し、塗装情報に基づいてデジタル塗装機を使用すれば、どの塗装システムであっても同一色調の塗装物を製造することができる。
【００３１】
図４に、塗料製造データ管理システム３０の構成例を示す。
【００３２】
図４は、塗料製造データ管理システム全体の制御を行う制御部３１、通信機能を司る通信制御装置３２、カラーコンセプト等のイメージ等に合致したカラーを創色し、カラーデータを管理する調色部３３、塗装物のカラー３次元画像を生成する画像処理部３４、塗料製造データ管理システム３０の入・出力装置３５、カラープレゼンテーション時に見積りを行う見積り処理部（価格情報提供処理部）３６、カラープレゼンテーション時に物性（塗膜性能）確認を行う物性確認処理部３７、カラープレゼンテーション時に作業性確認を行う作業性確認処理部３８、塗装条件に対する配合の補正を行うためのデータを格納している塗装条件補正データファイル４１、見積り処理で使用するデータを格納している見積り用データファイル４２、物性確認処理で使用するデータを格納している物性確認用データファイル４３、作業性確認処理で使用する作業性確認用データファイル４４、調色部３３で使用するデータを格納している色データファイル４５及び決定された色に関するデータ(カラーの決定番号、色、配合データ、決定者、その他関係データ)を格納する決定カラーデータファイル４６から構成されている。
【００３３】
なお、調色部３３は、例えば、有彩色顔料（黒・グレーを含む）、光輝性色材（メタルフレーク、パールマイカ等）及び無彩色顔料（白）に対して、調色の計算を行う。
【００３４】
また、調色の計算は、例えば、拡散照明系スペクトルパターンに対するカラーマッチングを行う顔料配合計算と、変角測定スペクトルパターンに対するカラーマッチング計算を行う光輝性色材配合計算とを行う。なお、色データファイル４５には、所定の色に対して、顔料の混合比率を決定できる顔料固有の波長、反射率データが格納されている。
【００３５】
この色データファイル４５には、各色に対応して、配合データと特性データとを記憶しているので、調色部３３は、この色データファイル４５を参照して、調色された色に対する配合データと特性データとを得ることができる。
【００３６】
調色部３３は、色の原料(光輝性材料も含む)の配合が分かれば、どのような色となるかの計算をして、画面に表示することもでき、その逆に、色が決定されれば、その原料を特定することができる。この際、色データファイル４５に格納されていないデータは、周辺のデータから補完して求める。また、この際、原料の重み付けを考慮して、補完処理してもよい。
なお、色が決定されれば、その原料を特定することができるが、複数の原料の組合わせが可能な場合がある。その場合は、塗装作業性情報、塗膜性能情報及び価格情報等を参考にして、最終的な原料の組合わせが決定される。
【００３７】
図５に、カラー塗装システム１０と塗料製造データ管理システム３０との間の処理フローの例を示す。以下、フローに沿って、順に説明する。
【００３８】
Ｓ１０：カラー塗装システムは、カラーコンセプト等の提案を行う。カラー塗装者は、カラー塗装システム１０により、塗料製造データ管理システム３０にアクセスし、塗料製造の依頼を行うウエブページ画面（図４のウエブページ作成部３９が作成）を表示する（図示せず）。ウエブページの指示に従い、カラーコンセプト提案画面を表示する。
【００３９】
カラーコンセプト等の提案画面の例を図６に示す。図６の例では、カラーイメージ５０、ＣＡＤデータ５５、採用時期５６及び予定製造ライン５７から構成されている。また、カラーイメージ５０は、キーワード５１、コラージュ５２、サウンド５３及びその他５４から構成されている。カラー塗装システムは、カラーコンセプト提案画面に入力することにより、塗料製造データ管理システムにカラーコンセプトを提案する。なお、図６のカラーコンセプト提案画面を簡略化した図７に示すような、カラーコンセプト提案画面であってもよい。
【００４０】
Ｓ１１：カラーコンセプト等の提案に対し、塗料製造データ管理システムは、カラープレゼンテーションを、通信ネットワークを利用してカラー塗装システムに対して行う。カラープレゼンテーションでは、塗料製造データ管理システムが変角分光反射率データに基づく、三次元画像表示用色データ（例えば、三次元ＣＡＤデータ）をカラー塗装システム及びへ通信ネットワークを介して送信し、カラー塗装システムでそれを表示して行う。なお、カラープレゼンテーションにおいて、上記三次元画像に加えて、配合情報、物性情報、塗料作業性情報、価格情報、納期情報等を送信することもできる。
カラープレゼンテーションの画面の例を図８に示す。図８のカラープレゼンテーション画面は、３次元画面６０、塗料製造者コンセプト６１、配合情報６２、物性情報６３、図４の塗装条件補正データファイル４１を参照して得た、カラー塗装ライン及び塗装機等に対する補正データを含む作業性情報６４、価格６５及び納期６６から構成されている。
【００４１】
３次元画面６０には、提案する色を塗装した３次元画面が表示され、回転等を行うことができる。従って、カラー塗装者は、角度により異なる色の様子を見て、判断することができる。なお、３次元画面６０は、図４の画像処理部３４が作成したものである。
【００４２】
配合情報６２には、提案する色の顔料、樹脂の成分名と割合が示される。このデータは、図４の調色部３３によって、色データファイル４５から得ることができる。物性情報６３には、提案する色の配合における耐候性、耐光性、耐薬品性等とその是非が示されている。このデータは、図４の色データファイル４５と物性確認用データファイル４３とを参照して、物性確認処理部３７で処理したものである。作業性情報６４には、提案する色を製造する際の適用ラインの可能性、特別手配が必要な場合は、その必要事項等が示される。価格６５には、提案する色の配合における概略の見積り（価格情報）が示される。この見積もりは、図４の色データファイル４５と見積り用データファイル４２を参照して見積り処理部３６で処理したものである。納期６６には、提案する色の納期が示される。
【００４３】
Ｓ１２：カラープレゼンテーションにおけるカラープレゼンテーション用に創色された複数のカラーから選択された一つ又はそれ以上のカラーについて、それを補正するためにカラー塗装システムから、塗料製造データ管理システムへ、カラーイメージが送信される。
なお、カラー塗装者は、提案されたカラープレゼンテーションから、好ましいカラープレゼンテーションを幾つか選定し、そのカラープレゼンテーションに関してコメントすることで、カラーイメージを提案する。
【００４４】
Ｓ１３：塗料製造データ管理システムは、受信したカラーイメージ情報に基づいて、色調、色相、光強度等を調整して、カラーチューニングを行い、通信ネットワークを利用してカラー塗装者に提供する。カラーチューニングでは、カラープレゼンテーションと同様な三次元画像表示用色データを用いて、カラーの補正を行う。ここで、塗料製造者によるカラーチューニングの画面の例を図１０に示す。
図１０のカラーチューニング画面は、３次元画面７０、カラー塗装者からのコメント欄７１から構成されている。なお、カラー塗装者からのコメント欄７１は、例えば、色相７２、色調７３及び光輝度７４のコメント欄から構成されている。
【００４５】
カラー塗装者は、３次元画面を見ながらコメントを記入する。塗料製造者はこのコメントに沿った手直しを行い、カラー塗装者とやり取りを行う。
【００４６】
Ｓ１４：カラープレゼンテーション、カラーチューニングにおける塗料製造データ管理システムとカラー塗装システムとの間での多くのやり取りの結果、デザインマスターが決定される。デザインマスターは、塗料製造者とカラー塗装者との間で、デザイン上で合意した塗色である。デザインマスターは、ディスプレイ上に表示された三次元画像を構成する三次元画像表示用色データである。
デザインマスターは、塗料製造者が作成したもので、前記通信ネットワーク２０を利用して、カラー塗装システムに表示されたものである。画面を用いてデザインマスターを相互に確認することができる。なお、デザインマスターの表示画面は、前記カラープレゼンテーションと同じ画面でもよい。
【００４７】
Ｓ１５、Ｓ１６：デザインマスターが、決定されると、採用色と塗料が決定される。採用色とは、デザインマスターのカラーを現出する基となる色要素であり、その決定は次のように行う。
(１)デザインマスターのデータに、配合情報、塗装作業性情報、物性情報（塗膜性能情報）、価格情報等を含んでいる場合は、採用色は、自動的に決定される。
(２)デザインマスターのデータに、配合情報、塗装作業性情報、物性情報（塗膜性能情報）、価格情報等が含まれていない場合は、デザインマスターが三次元画像のときは、その三次元画像表示用色データからコンピュータ調色により、配合情報を得、その他の情報を加味して、採用色が決定される。
（３）カラーコンテストの結果、他社のカラーがデザインマスターとされた場合、上記(２)と同様に、変角分光反射率データを採取し、このデータに基づいて、採用色を決定する。
【００４８】
なお、変角分光反射率データに基づく、三次元画像表示用色データには、下記の２種類がある。
【００４９】
(１)デザインマスター塗板の分光反射率を変角分光反射率測定装置で測定して得たデータであって、ＣＡＤ等を使用してモニター上に三次元画像表示を行えるもの。
【００５０】
(２)過去に蓄積された多数の分光反射率データを解析して得た、所望のカラーをモニター上に三次元画像表示させることのできるデータ。
【００５１】
なお、採用色とは、デザインマスターのカラーを現出する基となる色要素であり、上述の通りに決定される。
また、採用塗料とは、上記採用色を表現するために配合情報に基づいて配合される現実の塗料であって、その選定は、上記の通り、塗装作業性情報、物性情報（塗膜性能情報）、価格情報等によって行う。
採用色が決定すると、図４の調色部３３は、色データファイル４５を参照することにより、採用色に関する塗料の配合成分とその割合を得る。従って、デザインマスターの決定は、採用色と塗料を決定することにつながる。決定されたカラーデータは、関係データと共に、決定カラーデータファイル４６に格納される。
【００５２】
Ｓ１７：塗料製造者は、決定カラーデータファイル４６を参照して、塗料を製造する。塗料製造者は、採用された塗料の配合成分とその割合データに基づいて、塗料を製造する。その結果、デザインマスターの色と同じ色で、塗装条件に適合した塗装を行うことができる。なお、塗料製造者は、図４の塗装条件補正データファイル４１を参照し、塗装機条件に応じて、塗料の配合を行う。
【００５３】
Ｓ１８：カラー塗装者は、製造された塗料を用いて、カラー塗装を行う。塗料の配合成分とその割合データは、予め実測したデータであるので、色違いはおきない。なお、カラー塗装者は、塗料配合時の塗装条件で、塗装を行う。
上記説明では、塗料を塗料製造業者が製造し、この塗料を用いて、カラー塗装者が塗装するように説明したが、カラー塗装者が、塗料製造データ管理システムから配合データ等を取得して、そのデータに基づいて、塗料を製造するようにしてもよい。
また、上記説明では、カラー塗装者が塗装するように説明したが、カラー塗装者の塗装請負者が、塗料製造データ管理システム又はカラー塗装システムから配合データ等を取得して、そのデータに基づいて、塗料を製造するようにしてもよい。また、カラー塗装者の塗装請負者は、塗料製造データ管理システム３０に、カラー塗装条件に関するデータを通知することにより、塗料製造データ管理システム３０によって、カラー塗装システムの管理を依頼することができる。
【００５４】
図１１に、カラーコンテストの場合における他社のデザインマスター板に色合わせしたデザインマスターの複製画面の例を示す。図１１のデザインマスターの複製画面は、３次元画面８０とカラーデータ８１から構成されている。また、カラーデータ８１は、カラーのデータＬ＊ａ＊ｂ＊８２、又は塗板からカラー塗装者が測定した塗装のカラーデータＬ＊ａ＊ｂ＊８３から構成されている。なお、「Ｌ＊ａ＊ｂ＊」は、「ＣＩＥＬ＊ａ＊ｂ＊」表示系を示す。
【００５５】
図１２は、本発明における塗料製造データ管理システムとカラー塗装システム間の処理フローを説明するための図である。従来例である図１と対応したフローである。これによれば、図１の１２工程、５２工数が、８工程、１１工数になっている。また、図１２を最終段階とすれば、図１３は、塗り見本を併用した場合の当面の段階における塗料製造データ管理システムとカラー塗装システム間の処理フローを説明するための図である。なお、図１２及び図１３において、Ｐは、三次元画像の伝送を意味する（以下、同様）。
【００５６】
これによっても、図１の１２工程、５２工数が、１０工程、３２工数に減少している。
【００５７】
なお、被塗物としては、カラー塗装者と塗料製造者とで、カラーコンセプトを共有する必要のある物が対象となる。例えば、車両、車両部品、家電製品、通信関係製品、建材パネル等を挙げることができる。
【００５８】
上述の如く、実施例１によれば、次に述べる種々の効果を奏することができる。
【００５９】
塗料製造者と前記カラー塗装者とが、被塗物・塗装条件・塗料・色に関する情報を、通信ネットワークを介して情報交換し、お互いの事務所で画面上を見ながら、３次元のカラープレゼンテーションの提案、カラーチューニングの提案、カラープレゼンテーション、デザインマスターの決定を行うことができる。
【００６０】
また、塗料製造者は、決定されたデザインマスターのデータを用いて、カラー塗装された色と違わないカラーの塗料を製造することができる。
【００６１】
その結果、塗料製造者にとって、短期間の納品を可能とし、高品質でコストのかからない、塗料を製造することができる。
【００６２】
また、少量多品種生産を可能とし、ユーザの希望に沿った、塗料を提供することができる。
【００６３】
カラー塗装者にとって、画面上で、カラーコンセプト等及びカラーイメージの提案を行うことができ、更に、３次元での色発現の状況を考慮しつつ、採用色を決定することができる。
【００６４】
また、製造ライン、塗装機に関係なく、決定したデザインマスターの色と違わないカラーで塗装を行うことができる。
（実施例２）
図１４に実施例２のシステム構成例を示す。実施例２は、塗料製造者、カラー塗装者及び塗装物販売者が関与するシステムである。
【００６５】
図１４のシステムは、カラー塗装システム１０１〜カラー塗装システム１０Ｎ、通信ネットワーク２０、塗料製造データ管理システム３０及び塗装物販売システム５０１〜塗装物販売システム５０Ｍから構成されている。なお、塗装物販売システム５０は、携帯電話、ＰＨＳ、家電製品、自動車等を販売する業者(塗装物販売者)が保有し、通信ネットワーク２０に接続されたシステムである。また、カラー塗装システム１０１〜カラー塗装システム１０Ｎ、塗装物販売システム５０１〜塗装物販売システム５０Ｍ及び塗料製造データ管理システム３０は、３次元の画像を同じように表示できる表示装置を備え、この表示装置により、カラープレゼンテーション、カラーチューニング等が可能である。また、塗装物販売システムは、塗料製造データ管理システムとカラー塗装システムとが、通信ネットワーク３０を介して、色決定のための情報交換している場合に、その情報を受信して、塗装物販売システムのモニター上にカラー塗装物を表示することができる。また、必要に応じて、塗装物販売システムと塗料製造データ管理システムとカラー塗装システムとのやり取りに、参加することができる。つまり、後述するように、カラープレゼンテーション、カラーイメージ、カラーチューニングに参加し、デザインマスターの決定に参加する。
塗料製造者とカラー塗装者とが、カラー塗装システム１０及び塗料製造データ管理システム３０により、被塗物・塗装条件・塗料・色等の塗料製造に必要な情報を、通信ネットワーク３０を介して情報交換し、塗料製造データ管理システム３０及び塗装物販売システム５０１〜塗装物販売システム５０Ｍ間で、塗装物販売者による採用色の事前承認及びカラーチェック等が行われる。
【００６６】
また、塗料製造データ管理システム３０は、カラー塗装システム及び／又は塗装物販売システムと通信を行う通信制御部、カラー塗装システム及び／又は塗装物販売システムの提案に応じて色を調色する調色部、調色された被塗物の画像を生成する画像処理部、価格情報提供処理部、物性確認処理部、作業性確認処理部、塗装条件補正データファイル、決定カラーデータファイル、の全部又は一部を有している。
【００６７】
図１４における、カラー塗装システム１０１〜カラー塗装システム１０Ｎ、塗料製造データ管理システム３０及び塗装物販売システム５０１〜塗装物販売システム５０Ｍ間やり取りについて、図１５を用いて説明する。
【００６８】
図５と異なる点は、大きく、次の２点である。
(１)カラープレゼンテーション
塗装物販売者は、塗料製造データ管理システム３０からのカラープレゼンテーションを、カラー塗装者とともに、受信することができる。これにより、塗装物販売者へのカラープレゼンテーション情報の伝達の手間と、時間を削減することができる。
【００６９】
なお、塗料製造者は、指定されたカラーの配合等に基づいて、塗料を配合してカラー塗装者に届ける代わりに、指定されたカラーの配合情報を、塗料製造データ管理システムによって、カラー塗装システムに送信し、カラー塗装者はその配合情報に基づいて、塗料を配合して塗装を行うようにしてもよい。
(２)カラーチューニング
カラーチューニングを、塗料製造者とカラー塗装者と塗装物販売者とで、同時に並行して行うことである。これにより、カラーチューニングの時間を大幅に削減することができる。
【００７０】
図１６は、本発明における塗料製造データ管理システムとカラー塗装システムと塗装物販売システム間の処理フローを説明するための図である。従来例である図２と対応したフローである。なお、図１６では、塗料製造データ管理システム、カラー塗装システム及び塗装物販売システムが直列に接続されて図示されているが、これら三システムは、通信ネットワークを介して、相互の信号の授受が可能である。
これによれば、図２と比較して、工程数と工数が、大幅に削減されていることが分かる。
【００７１】
実施例２によれば、塗装物販売者が、色の決定に関与する場合でも、通信ネットワークを利用して、カラープレゼンテーション及びカラーチューニングを行うことにより、採用色の決定における労力と期間を削減し、色に関する調整処理を削減することができる。
（実施例３）
図１８に実施例３のシステム構成例を示す。実施例３は、塗料製造者、カラー塗装者、塗装物販売者及び販売店が関与するシステムである。
【００７２】
図１８のシステムは、カラー塗装システム１０１〜カラー塗装システム１０Ｎ、通信ネットワーク２０、塗料製造データ管理システム３０、塗装物販売システム５０１〜塗装物販売システム５０Ｍ、販売店システム６０１〜販売店システム６０Ｌから構成されている。なお、カラー塗装システム１０１〜カラー塗装システム１０Ｎ、塗装物販売システム５０１〜塗装物販売システム５０Ｍ、販売店システム６０１〜販売店システム６０Ｌ及び塗料製造データ管理システム３０は、３次元の画像を同じように表示できる表示装置を備え、この表示装置により、カラープレゼンテーション、カラーチューニング等が可能である。販売店システム６０は、３次元の画像を同じように表示できる表示装置を備えていれば、販売店に限られず、どこに備えてあってもよい。例えば、公共施設、自宅等でもよい。また、図１８のシステムは、実施例２の処理、即ち、販売店システムを含まない処理が可能であっても、可能でなくてもよい。
販売店システム６０のモニター上に表示されたカラーを見て、エンドユーザは、購買する商品に塗装するカラーを指定し、このカラー情報を、塗料製造データ管理システム（塗料製造者システム）３０、カラー塗装システム１０１〜カラー塗装システム１０Ｎ又は販売店システム６０１〜販売店システム６０Ｌに送信する。次いで、塗料製造データ管理システム３０は、販売店システム６０により指定されたカラーの塗料配合を決定する。このとき、塗料製造データ管理システム３０は、販売店システム６０１〜販売店システム６０ＬのＩＤ(又は、カラーを指定した顧客の名前、ＩＤ等)とともに、カラーを指定した機種、指定されたカラー情報、指定されたカラーの配合等を、決定カラーデータファイル４６に記憶する。
【００７３】
塗料製造データ管理システムは、指定されたカラーの配合等に基づいて、塗料を配合し、その顧客の塗装を行うカラー塗装者に届ける。
【００７４】
なお、塗料製造者は、指定されたカラーの配合等に基づいて、塗料を配合してカラー塗装者に届ける代わりに、指定されたカラーの配合情報を、塗料製造データ管理システムによって、カラー塗装システムに送信し、カラー塗装者はその配合情報に基づいて、塗料を配合して塗装を行うようにしてもよい。
【００７５】
また、塗料製造データ管理システム３０は、カラー塗装システム及び／又は塗装物販売システムと通信を行う通信制御部、カラー塗装システム及び／又は塗装物販売システムの提案に応じて色を調色する調色部、調色された被塗物の画像を生成する画像処理部、価格情報提供処理部、物性確認処理部、作業性確認処理部、塗装条件補正データファイル、決定カラーデータファイル、の全部又は一部を有している。
【００７６】
実施例３によれば、エンドユーザが、色の決定に関与する場合でも、採用色の決定における労力と期間を削減し、色に関する調整処理を削減することができる。また、エンドユーザは、例えば、商品を購入する際に、カラーを指定することができ、自分の個性に合わせたカラーの商品を購入することが可能となる。
（実施例４）
図１９に実施例４を示す。実施例４は、カラー塗装者が実施する自動調色システムに関するものである。
【００７７】
図１９のシステムは、塗料構成成分のタンク１４１〜１４６、バルブ１５１〜１５７、ポンプ１６１〜１６８、調製タンク１７１、粘度計１７２、液測色計１７３、ろ過器１７４及び塗装ガン１７５から構成されている。ここで、塗料構成成分のタンクは、例えば、原色成分のタンク１４１〜１４３、光輝材成分のタンク１４４、１４５、希釈タンク１４６である。
【００７８】
塗料製造データ管理システム（塗料製造者システム）からの配合情報に基づいて、原色成分のタンク１４１〜１４３及び光輝材成分のタンク１４４、１４５のバルブ１５１〜１５５及びポンプ１６１〜１６５の制御を行い、調製タンク１７１に塗料を投入する。
【００７９】
調製タンク１７１に、所定量の塗料を投入し、粘度計１７２を参照しつつ、外部循環させながら希釈タンク１４６のバルブ１５６及びポンプ１６６を制御して、粘度調整を行う。
【００８０】
さらに、液測色計１７３で測色する。そのとき、目標とする色相と大きくずれている場合は、自動的に調色を行う。配合が良ければ、塗装ガン１７５を用いて塗装を行う。なお、調整タンクを用いずに、インラインミキサー等を用いて、ラインで連続的に、混合、希釈してもよい。また、調整タンク１７１で色調整後、カートリッジに所定量投入して、塗装機にセットして塗装するようにしてもよい。また、原色成分、光輝材成分等からなる塗料構成成分を塗装ガン１７５内又はガン先で混合し、塗装してもよい。
【００８１】
塗装機は、デジタル塗装機が好ましい。デジタル塗装機は、塗装データ(補正データ)で、正確に条件に見合った補正が可能となる。
なお、上記説明では、カラー塗装者が自動調色するように説明したが、カラー塗装者の塗装請負者が、塗料製造データ管理システム又はカラー塗装システムから配合データ等を取得して、そのデータに基づいて、自動調色するようにしてもよい。
【００８２】
実施例４によれば、塗料製造者からカラー塗装者へは、原色を搬送することになる。カラー塗装者は、必要になった時点で、必要な量だけ、塗料を製造し塗装することが可能となるので、塗料のストックが減り、経時変化の問題も減少する。また、カラー塗装者は、カラー塗装者の塗装機を考慮した補正データに基づいて配合された塗料を使用するため、色違い等の問題が生じない塗装を行うことができる。また、カラー塗装者は、塗料製造者からカラーの配合情報に基づいて、塗料を配合して塗装を行うので、塗料の製造、管理を数値データで行う塗料の製造、管理を自動化することが可能となる。
（実施例５）
図２０に実施例５のシステム構成例を示す。実施例５は、塗料製造者、カラー塗装者、塗装物販売者及び基材製造者とからなるシステムである。
【００８３】
図２０のシステムは、カラー塗装システム１０１〜カラー塗装システム１０Ｎ、通信ネットワーク２０、塗料製造データ管理システム３０、塗装物販売システム５０１〜塗装物販売システム５０Ｍ、基材製造システム７０１〜基材製造システム７０Ｐから構成されている。なお、カラー塗装システム１０１〜カラー塗装システム１０Ｎ、塗装物販売システム５０１〜塗装物販売システム５０Ｍ、基材製造システム７０１〜基材製造システム７０Ｐ及び塗料製造データ管理システム３０は、３次元の画像を同じように表示できる表示装置を備え、この表示装置により、カラープレゼンテーション、カラーチューニング等が可能である。
【００８４】
なお、図２０のシステムは、実施例３と同じく、販売店システム６０のモニター上に表示されたカラー塗装物を見て、エンドユーザが、購買する商品に塗装するカラーを指定し、このカラー情報を、塗料製造データ管理システム（塗料製造者システム）３０、カラー塗装システム１０１〜カラー塗装システム１０Ｎ又は販売店システム６０１〜販売店システム６０Ｌに送信できるものであってもよい。
【００８５】
実施例５は、塗料が色づけされた基材上に塗られる場合に好適な実施例である。塗料製造データ管理システム３０又はカラー塗装システム１０は、実施例１又は２における工程において、カラーチューニング後デザインマスター決定前に、モニターを用いて、基材を提供する基材製造システム７０１〜基材製造システム７０Ｐに、基材の色情報を通知する。その後、基材製造システム７０１〜基材製造システム７０Ｐは、通知された色情報に基づいて、この色をだすことができる基材の価格、性能をカラー塗装システム１０へ通知する。この後、基材製造システム７０１〜基材製造システム７０Ｐとカラー塗装システム１０との間で、やり取りを行い、採用基材種類と採用基材色種類とを決定する。その後、基材種類と基材色とを併せて、カラーデザインマスターが決定される。なお、基材の例としては、プラスチック、金属（例えば、アルミニウム、マグネシウム合金）、及びそれらのハイブリッド型がある。
（実施例６）
カラー塗装システム（カラー塗装者の塗装請負者システムを含む）は、調色した塗料で塗装した板を測色機で測定し、その測定値とデザインマスターのデータと比較し、塗装した板とデザインマスターとの違いが所定以上の場合、調色し直す機能を有していてもよい。
【００８６】
図２１にその処理フローを示す。
【００８７】
なお、実施例６では、カラー塗装システムが、カラーの測色機と色データファイルを有し、塗り見本から、配合データを生成することができる例を示している。
【００８８】
カラー塗装システムは、デザインマスターの決定後、塗料製造データ管理システムから通知された配合データを受け取る（Ｓ２１）。又は、配合データでなく、デザインマスター塗板を受け取り、測色して配合データを得る。その配合データに基づいて、塗料の自動調合を行う（Ｓ２２）。この際の調合は、試験的に少量の調合を行い、その塗料で塗装し（Ｓ２３）、乾燥（Ｓ２４）させる。乾燥したものを測定し、デザインマスターのデータと比較する（Ｓ２５）。その結果、両者のデータの違いが所定の範囲内であれば、本格的な調合を行い（Ｓ２７）、被塗物に塗装して（Ｓ２８）、乾燥して（Ｓ２９）、製品を得る（Ｓ３０）。
【００８９】
一方、ステップ２５において、両者のデータの違いが所定の範囲より大きければ、色データファイル２０１を参照して、配合データを作成する（Ｓ２６）。その配合データに基づいて、自動調合し（Ｓ２２）、その塗料で塗装し（Ｓ２３）、乾燥（Ｓ２４）させる。乾燥したものを測定し、上述したように、デザインマスターのデータと比較する（Ｓ２５）。その結果、両者のデータの違いが所定の範囲内であれば、ステップ２７に進み、両者のデータの違いが所定の範囲より大きければ、ステップ２６、ステップ２２〜ステップ２５を繰り返し、両者のデータの違いが所定の範囲内になるまで繰り返す。
【００９０】
これにより、デザインマスター同じ色で塗装を行うことができる。
【００９１】
本発明は、具体的に開示された実施例に限定されるものではなく、特許請求した本発明の範囲から逸脱することなく、種々の変形例や実施例が考えられる。
【図面の簡単な説明】
【００９２】
【図１】は、従来例における塗料製造者とカラー塗装者間の処理フローを説明するための図(その１)である。
【図２】は、従来例における塗料製造者、カラー塗装者及び塗装物販売者間の処理フローを説明するための図である。
【図３】は、本発明の第１の実施例のシステム構成例を説明するための図である。
【図４】は、塗料製造データ管理システムの構成例を説明するための図である。
【図５】は、本発明の第１の実施例における塗料製造データ管理システムとカラー塗装システム間の情報、物及び時間の流れを説明するためのフローである。
【図６】は、カラーコンセプト等の提案画面（その１）である。
【図７】は、カラーコンセプト等の提案画面（その２）である。
【図８】は、カラープレゼンテーション画面（その１）である。
【図９】は、カラープレゼンテーション画面（その２）である。
【図１０】は、カラーチューニング画面である。
【図１１】は、デザインマスターの複製画面である。
【図１２】は、本発明の第１の実施例における塗料製造データ管理システムとカラー塗装システム間の処理フローを説明するための図（その１）である。
【図１３】は、本発明の第１の実施例における塗料製造データ管理システムとカラー塗装システム間の処理フローを説明するための図（その２）である。
【図１４】は、本発明の第２の実施例のシステム構成例を説明するための図である。
【図１５】は、本発明の第２の実施例における塗料製造データ管理システムとカラー塗装システム間の情報、物及び時間の流れを説明するためのフローである。
【図１６】は、本発明の第２の実施例における塗料製造データ管理システム、カラー塗装システム及び塗装物販売システム間の処理フローを説明するための図（その１）である。
【図１７】は、本発明の第２の実施例における塗料製造データ管理システム、カラー塗装システム及び塗装物販売システム間の処理フローを説明するための図（その２）である。
【図１８】は、本発明の第３の実施例のシステム構成例を説明するための図である。
【図１９】は、本発明の第４の実施例のカラー塗装システムにおける自動調色システムを説明するための図である。
【図２０】は、本発明の第５の実施例のシステム構成例を説明するための図である。
【図２１】は、本発明の第６の実施例を説明するための処理フローを示す。
【符号の説明】
【００９３】
１０１〜１０Ｎ    カラー塗装者の端末
２０    通信ネットワーク
３０    塗料製造者システム
３１    制御部
３２    通信制御部
３３    調色部
３４    画像処理部
３５    入・出力装置
３６    見積り処理部（価格情報提供処理部）
３７    物性確認処理部
３８    作業性確認処理部
３９    ウエブページ作成部
４１    塗装条件補正データファイル
４２    見積り処理用データファイル
４３    物性確認処理用データファイル
４４    作業性確認処理用データファイル
４５    色データファイル
４６    決定カラーデータファイル
５０    塗装物販売店システム
６０    販売店システム
【図１】
2006099796.tif 000003
【図２】
2006099796.tif 000004
【図３】
2006099796.tif 000005
【図４】
2006099796.tif 000006
【図５】
2006099796.tif 000007
【図６】
2006099796.tif 000008
【図７】
2006099796.tif 000009
【図８】
2006099796.tif 000010
【図９】
2006099796.tif 000011
【図１０】
2006099796.tif 000012
【図１１】
2006099796.tif 000013
【図１２】
2006099796.tif 000014
【図１３】
2006099796.tif 000015
【図１４】
2006099796.tif 000016
【図１５】
2006099796.tif 000017
【図１６】
2006099796.tif 000018
【図１７】
2006099796.tif 000019
【図１８】
2006099796.tif 000020
【図１９】
2006099796.tif 000021
【図２０】
2006099796.tif 000022
【図２１】
2006099796.tif 000023